(57)【特許請求の範囲】
【請求項１】
光源手段に供給される電力に応じた光量で該光源手段から出射される光をライトバルブ手段に入射し、該ライトバルブ手段の画像形成面で形成される入力映像信号に応じた画像を、光学系を介しスクリーンに投射する投射型映像表示装置において、
スクリーンに投射される映像の面積を算出する第一の演算手段と、
スクリーンに投射される映像の近傍の照度を測定する測光手段と、
前記第一の演算手段により算出された映像の面積と前記測光手段により測定された照度とに基づき、黒レベル補正値を算出する第二の演算手段と、
前記第二の演算手段により算出された黒レベル補正値に従い、前記光源手段に供給される電力を制御する光源電力制御手段と、
を備えることを特徴とする投射型映像表示装置。
【請求項２】
前記投射型映像表示装置の本体からスクリーンまでの距離を自動的に測定する測距手段を更に備え、前記第一の演算手段は、前記光学系の投射レンズユニットに含まれるズームレンズの被制御位置と、前記測距手段により測定された距離とに基づきスクリーンに投射される映像の面積を自動的に算出することを特徴とする請求項１に記載の投射型映像表示装置。
【請求項３】
前記光源電力制御手段により前記光源手段に供給される電力が変更されたときにリセットされ、該リセット時点からの経過時間を計時すべくカウントアップを開始する第一の計時手段を更に備え、前記光源電力制御手段は、該第一の計時手段のカウント値が所定の値に達するまでは前記光源手段に供給される電力を変更しないことを特徴とする請求項１に記載の投射型映像表示装置。
【請求項４】
前記測光手段により測定された照度を一定の時間間隔でサンプリングして順次記憶する第一の記憶手段と、該第一の記憶手段に記憶されている照度の平均値を算出する第三の演算手段とを更に備え、前記第二の演算手段は該第三の演算手段から供給される照度の平均値に基づき前記黒レベル補正値を算出することを特徴とする請求項１に記載の投射型映像処理装置。
【請求項５】
前記光源電力制御手段は、前記光源手段が点灯されてから所定の時間が経過するまでは前記測光手段により測定された照度の如何に関らず、前記光源手段に供給される電力を一定に保つことを特徴とする請求項１に記載の投射型映像処装置。
【請求項６】
前記測光手段により測定された投射映像近傍の照度が、前記光源電力制御手段の制御限界となる黒レベルよりも明るい場合は、該投射映像のブライトネス及びコントラストをその差分に応じて調節すべく入力映像信号を補正する第四の演算手段を更に備えることを特徴とする請求項１に記載の投射型映像表示装置。
【請求項７】
前記光源手段は累積点灯時間の増加に伴い管電圧が変化する放電管を含み、該光源手段の累積点灯時間を計時する第二の計時手段と該光源手段の累積点灯時間の増加に伴う管電圧の変化特性を記憶した第二の記憶手段とを更に備え、前記光源電力制御手段は、前記第二の計時手段から入力される累積点灯時間及び前記第二の記憶手段から入力される前記管電圧の変化特性に基づき、前記管電圧の変化に伴う前記光源手段の電力変動を補償することを特徴とする請求項１に記載の投射型映像表示装置。
【発明の詳細な説明】
【０００１】
【発明の属する技術分野】
本発明は投射型映像表示装置に関する。
【０００２】
【従来の技術】
図１２に、周辺照明光が遮断された暗室における、投射型映像表示装置における投射映像の照度と入力信号レベル（無彩色）の一般的な関係を示す。ここで、ＩＬｘはスクリーン上の黒レベル（無彩色、入力信号レベル０）の部分の照度である。投射型映像表示装置にライトバルブとして使用される液晶パネルは入力信号が０レベルであっても光を完全には遮断できないので、このＩＬｘは０にはならない。
【０００３】
投射型映像表示装置を暗室ではなく、周辺照明光がスクリーンに照射する環境下（例えば、プレゼンテーションにおいて視聴者がメモを取ることができるように室内の照明を点灯する場合など）で使用する場合には、図１３に示すように周辺照明光によるスクリーン上の照度ＩＬｙによって、その照度以下の黒レベルが再現されずにつぶれてしまい、ダイナミックレンジが狭くなる。
逆に薄暗い環境下で投射型映像表示装置を使用する場合には、図１４に示すように、周辺照明光によるスクリーン上の照度がＩＬｚであれば、ＩＬｘ−ＩＬｚの値だけ黒レベルが浮いてしまう。
【０００４】
また、周辺照明光が遮断された暗室における投射映像の色再現範囲が図１５（ＣＩＥ  ＸＹＺ表色系のｘｙ色度図）に示すものである時、例えば白色の周辺照明光が投射映像に照射すると図１６に示すようにその色再現範囲は狭くなる。尚、周辺照明としては通常、白色光が使用されるが、他の色みが掛かった照明が使用される場合でも色再現範囲は狭くなり、またその場合には色再現範囲の形状も変わる。
【０００５】
【発明が解決しようとする課題】
投射型映像表示装置は、通常、ブライトネス調整機能及びコントラスト調整機能を備え、使用者はスクリーンに投射された映像を見ながらブライトネス及びコントラストを調整することができるが、これらの機能では、上記の黒浮き、黒つぶれ、ダイナミックレンジの狭小化、色再現性の低下に十分に対処することはできない。それに加え、ブライトネス及びコントラストの調整は、一般にディジタル信号に変換された映像信号の演算処理によって実現されるが、例えば、ディジタル映像信号が８ビット信号である場合、演算時のビット長を一時的に１０ビットに拡張するなど十分大きくしなければ、演算誤差の蓄積により実質的なダイナミックレンジを逆に縮める可能性があり、また、この演算誤差の蓄積により投射映像に偽輪郭を生じさせる可能性もある。
【０００６】
本発明は、上述の問題を解消するためになされたものであり、投射型映像表示装置における、投射映像の黒レベル、ダイナミックレンジ及び色再現性を改善することを課題とする。
【０００７】
【課題を解決するための手段】
請求項１に記載の発明は、光源手段に供給される電力に応じた光量で該光源手段から出射される光をライトバルブ手段に入射し、該ライトバルブ手段の画像形成面で形成される入力映像信号に応じた画像を、光学系を介しスクリーンに投射する投射型映像表示装置において、
スクリーンに投射される映像の面積を算出する第一の演算手段と、
スクリーンに投射される映像の近傍の照度を測定する測光手段と、
前記第一の演算手段により算出された映像の面積と前記測光手段により測定された照度とに基づき、黒レベル補正値を算出する第二の演算手段と、
前記第二の演算手段により算出された黒レベル補正値に従い、前記光源手段に供給される電力を制御する光源電力制御手段と、
を備えることを特徴とする。
【０００８】
請求項２に記載の発明は、前記投射型映像表示装置の本体からスクリーンまでの距離を自動的に測定する測距手段を更に備え、前記第一の演算手段は、前記光学系の投射レンズユニットに含まれるズームレンズの被制御位置と、前記測距手段により測定された距離とに基づきスクリーンに投射される映像の面積を自動的に算出することを特徴とする。
【０００９】
請求項３に記載の発明は、前記光源電力制御手段により前記光源手段に供給される電力が変更されたときにリセットされ、該リセット時点からの経過時間を計時すべくカウントアップを開始する第一の計時手段を更に備え、前記光源電力制御手段は、該第一の計時手段のカウント値が所定の値に達するまでは前記光源手段に供給される電力を変更しないことを特徴とする。
【００１０】
請求項４に記載の発明は、前記測光手段により測定された照度を一定の時間間隔でサンプリングして順次記憶する第一の記憶手段と、該第一の記憶手段に記憶されている照度の平均値を算出する第三の演算手段とを更に備え、前記第二の演算手段は該第三の演算手段から供給される照度の平均値に基づき前記黒レベル補正値を算出することを特徴とする。
【００１１】
請求項５に記載の発明は、前記光源電力制御手段が前記光源手段が点灯されてから所定の時間が経過するまでは前記測光手段により測定された照度の如何に関らず、前記光源手段に供給される電力を一定に保つことを特徴とする。
【００１２】
請求項６に記載の発明は、前記測光手段により測定された投射映像近傍の照度が、前記光源電力制御手段の制御限界となる黒レベルよりも明るい場合は、該投射映像のブライトネス及びコントラストをその差分に応じて調節すべく入力映像信号を補正する第四の演算手段を更に備えることを特徴とする。
【００１３】
請求項７に記載の発明は、前記光源手段が累積点灯時間の増加に伴い管電圧が変化する放電管を含み、該光源手段の累積点灯時間を計時する第二の計時手段と該光源手段の累積点灯時間の増加に伴う管電圧の変化特性を記憶した第二の記憶手段とを更に備え、前記光源電力制御手段は、前記第二の計時手段から入力される累積点灯時間及び前記第二の記憶手段から入力される前記管電圧の変化特性に基づき、前記管電圧の変化に伴う前記光源手段の電力変動を補償することを特徴とする。
【００１５】
【発明の実施の形態】
以下、本発明をその実施の形態を示す図面に基づいて具体的に説明する。
実施の形態１．
図１は本発明の投射型映像表示装置の実施の形態１の構成を示すブロック図である。同図において、１は測光器、２は第一演算処理回路、３は第二演算処理回路、４は光源電力制御回路、５は光源ランプである。測光器１は、投射映像領域の近傍であって、スクリーンに照射する周辺照明光の照度を検出するのに適した場所に設置される。以下に、実施の形態１の動作を説明する。
【００１６】
先ず、スクリーンに投射された映像の面積を求める。これは、例えば、ズームレンズを駆動するステッピングモータの回転量からズームレンズの被制御位置を自動的に検出し、また、映像の投射されるスクリーンまでの距離を使用者が装置に入力することによって得ることができる。即ち、映像の面積は下記（１）式に示すように投射型映像表示装置の光学系が定まれば、ズームレンズの被制御位置及びスクリーンまでの距離の関数ｆとして一義的に算出される。
Ｓ＝ｆ（ｚｘ，ｄ）    ……（１）
Ｓ：投射映像の面積
ｚｘ：ズームレンズの被制御位置
ｄ：スクリーンまでの距離
【００１７】
上記（１）式の関数ｆが単純な場合は、第一演算処理回路２で演算させれば良いが、複雑な演算になる場合は、入力ｚｘ及びｄの各値に対応する出力Ｓを予め記憶させたメモリを用いれば良い。さらに、このメモリの容量を小さくするために一定の間隔のｚｘ及びｄに対応するＳだけを記憶させて、線形補間を行って面積を算出しても良い。
【００１８】
投射映像の面積Ｓ、光源ランプ５から出射され、投射レンズを通る光束Ｌ、及び投射映像の照度ＩＬの間の関係は下記（２）式の通りであり、投射映像の照度ＩＬは投射映像の面積Ｓに反比例する。
ＩＬ＝Ｌ／Ｓ    ……（２）
【００１９】
第一演算処理回路２により算出された投射映像の面積がＳａであり、ランプ電力がＷのときの全黒画面（入力信号レベル０、白０％）での投射レンズを通る光束がＬａ（Ｗ）であるとき、投射映像の照度ＩＬａは下記（３）式に従って、第二演算処理回路３で算出される。尚、このＬａ（Ｗ）の値は予め第二演算処理回路３に記憶させている。
ＩＬａ＝Ｌａ（Ｗ）／Ｓａ    ……（３）
【００２０】
測光器１から得られる、周辺照明光による投射映像領域近傍のスクリーン上の照度をＩＬｂとするとき、該ＩＬｂと上記ＩＬａとの間の関係は、下記（ａ）〜（ｃ）のいずれかとなる。
（ａ）ＩＬａ＝ＩＬｂ
投射映像の黒レベルは適正
（ｂ）ＩＬａ＞ＩＬｂ
投射映像の黒レベルが浮いた状態（暗室など周辺照明光がスクリーンにほとんど照射しない環境下）
（ｃ）ＩＬａ＜ＩＬｂ
投射映像の黒レベルがつぶれた状態（明るい周辺照明光がスクリーンに照射する環境下）
【００２１】
第二演算処理回路３は、上記の（ａ）〜（ｃ）のそれぞれにおいて下記（４）〜（６）式に従い黒レベル補正値ＢＬｏｆｆｓｅｔを出力する。
（ａ）ＩＬａ＝ＩＬｂ
ＢＬｏｆｆｓｅｔ＝ＩＬｂ−ＩＬａ＝０    ……（４）
黒レベルは適正であり、補正は実施しない（黒レベル補正値を０とする）。
（ｂ）ＩＬａ＞ＩＬｂ
ＢＬｏｆｆｓｅｔ＝ＩＬｂ−ＩＬａ＜０    ……（５）
光源ランプ５の電力（ランプの光量）を下げるような、黒レベル補正値ＢＬｏｆｆｓｅｔを光源電力制御回路４に出力する
（ｃ）ＩＬａ＜ＩＬｂ
ＢＬｏｆｆｓｅｔ＝ＩＬｂ−ＩＬａ＞０    ……（６）
光源ランプ５の電力（ランプの光量）を上げるような、黒レベル補正値ＢＬｏｆｆｓｅｔを光源電力制御回路４に出力する。
【００２２】
光源電力制御回路４は、下記（７）式に従い、光源ランプ５の電力が、補正前のその時点での光源ランプ５の電力値Ｗに上記の黒レベル補正を加えた電力Ｗｒになるように制御する。（７）式において、ｋは光源ランプ５によって定まる係数である。このとき、光源電力制御回路４は、Ｗｒが光源ランプ５の最大電力Ｗｍａｘより大きくならないように、また、Ｗｒが光源ランプ５の最小電力Ｗｍｉｎより小さくならないようにＷｒを下記（８）式及び（９）式に従い制御する。
Ｗｒ＝Ｗ＋ｋ×ＢＬｏｆｆｓｅｔ    ……（７）
Ｗｒ＞Ｗｍａｘとなる場合：  Ｗｒ＝Ｗｍａｘ    ……（８）
Ｗｒ＜Ｗｍｉｎとなる場合：  Ｗｒ＝Ｗｍｉｎ    ……（９）
【００２３】
国際照明委員会ＣＩＥが１９７６年に勧告した心理計測明度Ｌ*（心理的明るさ）は、下記（１０）式で表される。
Ｌ*＝１１６（Ｙ／Ｙ０）1/3−１６    （Ｙ／Ｙ０＞０．００８８５６）
……（１０）
【００２４】
ただし、ＹはＣＩＥのＸＹＺ表色系の三刺激値、Ｙ０は基準白色のＹの値である。この（１０）式をグラフにしたものが図１７であり、このグラフから、人間の明るさ感覚は、暗い部分の明るさの変化に対しては敏感であるが、明るくなるほど鈍感になることが分かる。なお、三刺激値Ｙは、下記（１１）式で表されるようにＲＧＢ表色系から線形変換で得られる。
Ｙ＝ｋ１×Ｒ＋ｋ２×Ｇ＋ｋ３×Ｂ    ……（１１）
（１１）式で、ｋ１〜ｋ３は係数であり、例えばＮＴＳＣ方式ではｋ１＝０．３、ｋ２＝０．５９、ｋ３＝０．１１である。
【００２５】
図１３で述べたように、従来、周辺照明光の照度よりも低い黒レベルがつぶれてダイナミックレンジが狭くなっていたような明るい環境下においても、本実施形態の装置によれば、上記の光源ランプ電力制御により、図２に示すように、人間の視覚特性上、変化が敏感に知覚される黒レベルが補正され、黒つぶれ及びダイナミックレンジが改善された良好な映像が得られる。同時に従来、周辺照明光によって薄められていた色も彩度が改善されるため、色再現範囲の縮小も改善される。また、図１４で述べたように、逆に暗室又は薄暗い室内等、周辺照明光のスクリーン上の照度がかなり低く、従来黒浮きが生じていた環境下でも、上記の光源ランプ電力制御により、図３に示すように黒レベルが補正され、黒浮きが改善された良好な映像が得られる。
【００２６】
実施の形態１では、黒レベル補正値ＢＬｏｆｆｓｅｔの一次関数を用いて光源ランプの電力を制御しているが、個々の光源ランプの特性に応じ、二次以上の高次の関数を用いて光源ランプの電力を制御するようにしてもよい。
【００２７】
また、実施の形態１では、測光器を一つだけ用いているが、複数の測光器、例えばスクリーンの四隅に設置された４個の測光器を用い、その平均照度に基づいて光源ランプの電力制御を行うようにしてもよい。
【００２８】
また、実施の形態１では、ズームレンズとフォーカスレンズを有する投射型映像表示装置の例を示したが、フォーカスレンズだけの単焦点レンズ型の投射型映像表示装置であっても良い。この場合、（１）式は下記（１２）式のようにスクリーンまでの距離ｄだけで算出できる。
Ｓ＝ｆ‘（ｄ）    ……（１２）
【００２９】
以上説明した実施の形態１の投射型映像表示装置においては、黒レベル補正は、映像信号演算処理に基づくブライトネス調整、コントラスト調整によってではなく、光源ランプの電力制御によって行われるため、演算処理が不要であり、そのためディジタル映像信号のビット長を拡張する必要もない。従って従来のように演算誤差の蓄積が生じないので、演算処理の結果、実質的にダイナミックレンジが狭められてしまうこともなくなり、また、演算誤差の蓄積による偽輪郭が発生することもなくなる。
【００３０】
実施の形態２．
図４は本発明の投射型映像表示装置の実施の形態２の構成を示すブロック図である。同図において、図１の要素と同じまたは対応する要素には同じ符号を付している。実施の形態２は、測距回路６を有する点で実施の形態１と異なる。測距回路６は、例えば赤外線を利用して映像の投射されるスクリーンまでの距離を自動測定する回路であり、該測距回路６により測定された距離は第一演算処理回路２に出力される。
【００３１】
前述の実施の形態１では、使用者が映像の投射されるスクリーンまでの距離を装置に入力する。実施の形態１では、投射型映像表示装置とスクリーンとが固定設置される場合には、使用者が距離を一度だけ入力すればよいが、投射型映像表示装置が移動可能なタイプのものである場合には、その移動の度に使用者が距離を装置に入力する必要がある。実施の形態２では、この使用者の手間を省くことができる。
【００３２】
測距回路としては、赤外線を利用したものに限定されず、超音波、電磁波等、投射映像に影響を与えなければ、任意の他の手段を利用することができる。
【００３３】
実施の形態３．
図５は本発明の投射型映像表示装置の実施の形態３の構成を示すブロック図である。同図において、図１の要素と同じあるいは対応する要素には同じ符号を付している。実施の形態３は第一計時カウンタ７を有する点で実施の形態１と異なる。
【００３４】
実施の形態３では、光源電力制御回路４は、周辺照明光のスクリーン上の照度に適した光源ランプ電力制御を行うと、リセット信号を第一計時カウンタ７に出力する。第一計時カウンタ７は、このリセット信号を受け取るとカウント値を０に戻し、カウント値が所定の値Cｃｔｒに達するまで０から再びカウントアップしていく。カウント値がこのCｃｔｒに達するまでの期間は、光源ランプ電力は固定される。即ちこの期間は、光源電力制御回路４は、周辺照明光の変動に伴う電力制御を行わない。この光源ランプ電力制御の固定は、光源ランプ５が熱的平衡状態に達して、光源ランプ５が安定点灯期に入ってから行う。
【００３５】
実施の形態３によれば、周辺照明光の光量の変動が多い場合に生ずる光源ランプ電力の過変動を抑えることができ、投射映像のフリッカの抑制や光源ランプ５に与えるストレスを低減させることができる。
【００３６】
実施の形態４．
図６は本発明の投射型映像表示装置の実施の形態４の構成を示すブロック図である。同図において、図１の要素と同じあるいは対応する要素には同じ符号を付している。実施の形態４は、第一メモリ８及び第三演算処理回路９を有する点で実施の形態１と異なる。
【００３７】
第一メモリ８は、測光器１から得られる照度を一定の時間（ｔ秒）間隔でサンプリングし、順次記憶する。この第一メモリ８はＦＩＦＯ（First In First Out）型であり、ｔ秒毎に順次入力照度を記憶していき、それと同時に最も古く記録されたものから順次消去していく。ここで、第一メモリ８に記憶されている照度の個数がｎ個であり、サンプリングされた照度をＩＬ［１］，ＩＬ［２］，ＩＬ［３］，．．．，ＩＬ［ｎ−１］，ＩＬ［ｎ］とする。
【００３８】
第三演算処理回路９は、第一メモリ８からサンプリングされたｎ個の照度を得て、下記（１３）式に従い平均照度ＩＬａｖを算出する。
ＩＬａｖ＝ΣＩＬ［ｉ］／ｎ    ……（１３）
【００３９】
この平均照度ＩＬａｖは第二演算処理回路３に入力され、第二演算処理回路３は、この平均照度ＩＬａｖと第一演算処理回路２から入力される投射映像の面積Ｓとから黒レベル補正値を算出する。光源電力制御回路４はこの黒レベル補正値に基づき、光源ランプ５の電力を制御する。
【００４０】
実施の形態４によれば、周辺照明光の光量の変動が多い場合に生ずる光源ランプ電力の過変動が抑えられ、投射映像のフリッカの抑制や光源ランプに与えるストレスが低減される。尚、実施の形態４では、平均照度として単純平均を用いているが、時間的に新しいサンプリング照度の重みを重くし、時間的に古いサンプリング照度の重みを軽くした、移動平均を用いても良い。
【００４１】
実施の形態５．
本発明の投射型映像表示装置の実施の形態５の構成は、図１に示した実施の形態１の構成と同様であるが、光源ランプが熱的平衡状態に達するまでの期間を考慮して光源ランプの電力制御を行うようにした点で実施の形態１と異なる。
【００４２】
投射型映像表示装置の光源ランプとして一般にメタルハライドランプ等の放電管が用いられるが、これらの光源ランプは点灯開始から光源ランプ自体の自己発熱により抵抗値が変化するので、熱的平衡状態に達し安定するまでの期間は光源ランプの電力が変動する。この熱的平衡状態に達するまでの時間は、周囲環境温度や、光源ランプが十分冷えた状態からの点灯、一度消灯してからの再点灯等、使用状況により変わる。そのため、光源電力制御回路４は、光源ランプ５が十分に冷えた状態で点灯した時に熱的平衡状態に達するのに要する時間、即ち安定状態に達する時間の最大値に等しい長さの期間は、測光器１から得られる照度に基づく電力制御を行わず、光源ランプ５を定格電力で点灯させる。その結果、光源ランプ５に与えるストレスを低減させることができる。
【００４３】
実施の形態５では、一定の時間が経過すれば、光源ランプが熱的平衡状態に達したものとみなし電力制御を開始するが、光源ランプ５に加わる管電圧及びランプ電流の変化を監視し、それらが安定してから光源電力制御回路４の制御動作を開始するようにしてもよく、あるいは、光源ランプ５近傍の温度を監視し、それが安定してから光源電力制御回路４の制御動作を開始するようにしてもよい。
【００４４】
実施の形態６．
図７は本発明の投射型映像表示装置の実施の形態６の構成を示すブロック図である。同図において、図１の要素と同じあるいは対応する要素には同じ符号を付している。実施の形態６は、第四演算処理回路１０を有する点で実施の形態１と異なる。
【００４５】
実施の形態６は、周辺照明光の照度が高い場所で投射型映像表示装置を使用する際、実施の形態１で説明した電力制御により光源ランプ５の電力を最大にしてもなお黒つぶれが生じる場合には、第四演算処理回路１０により映像信号に対しブライトネス及びコントラストの調整を行い、この黒つぶれを補正するように構成されている。この動作を図８により説明する。
【００４６】
図８は、入力信号レベルと映像の照度の間の関係を表しており、細線は電力制御を行わない場合を示し、点線は電力制御により黒レベルを最大限度まで持ち上げた場合を示している。周辺照明光によるスクリーン上の照度がＩＬ２であるとすると、電力制御により最大限度まで黒レベルを持ち上げても、映像信号のＩＬ２からＩＬ１の間の照度に対応する部分はつぶれる。実施の形態６では、この黒つぶれを補正するため、入力信号レベルが０の時の投射映像の照度、即ち黒レベルがＩＬ２に等しくなるように映像のブライトネスを増加させ、コントラストもそれに合わせて補正する。
【００４７】
次に、第四演算処理回路１０によるブライトネス及びコントラスト調整について説明する。映像信号Ｒ（赤）、Ｇ（緑）、Ｂ（青）のそれぞれに図８におけるＩＬ２とＩＬ１の差分に相当するブライトネスＢＲを各々加算し、また、映像信号の最大値での照度が変わらないようにコントラストの調整を行う。例えば、映像信号Ｒ、Ｇ、Ｂが各々８ビット（０〜２５５）の場合、下記（１４）〜（１６）式に従い補正後の映像信号Ｒ'、Ｇ'、Ｂ'を算出する。その結果、図８の太線で示すような黒レベルの改善された良好な投射映像を得ることができる。
Ｒ'＝（２５５−ＢＲ）×Ｒ／２５５＋ＢＲ  ：ＢＲ≦２５５  ……（１４）
Ｇ'＝（２５５−ＢＲ）×Ｇ／２５５＋ＢＲ  ：ＢＲ≦２５５  ……（１５）
Ｂ'＝（２５５−ＢＲ）×Ｂ／２５５＋ＢＲ  ：ＢＲ≦２５５  ……（１６）
【００４８】
実施の形態７．
図９は本発明の投射型映像表示装置の実施の形態７の構成を示すブロック図である。同図において、図１の要素と同じあるいは対応する要素には同じ符号を付している。実施の形態７は、第二メモリ１１及び第二計時カウンタ１２を有する点で実施の形態１と異なる。
【００４９】
第二計時カウンタ１２は、光源ランプ５の累積点灯時間を計測するためのカウンタであり、光源ランプ５の新規搭載時、又は、寿命が尽きて新しいものに交換する際にそのカウント値が０にリセットされる。第二メモリ１１は、累積点灯時間Ｔに応じて変化する光源ランプ５の管電圧Ｖ（Ｔ）を記憶している。
【００５０】
光源ランプ５の電力（安定点灯時）の設定値Ｗｓｅｔ、新規搭載された光源ランプ５の安定点灯時の管電圧Ｖ（０）、及び光源ランプ５に流れるランプ電流Ｉの間には下記（１７）式の関係が成立する。
Ｗｓｅｔ＝Ｖ（０）×Ｉ    ……（１７）
【００５１】
管電圧Ｖ（Ｔ）は累積点灯時間の増加に伴い変化（一般には大きくなる傾向）するので、実施の形態７では、光源ランプ５の電力を設定値Ｗｓｅｔに保つために、光源電力制御回路４により下記（１８）式に従う制御を行う。ただし、光源電力制御回路４は、ランプ電流Ｉを所定値に保つ定電流制御を行うものとする。
Ｗ‘＝Ｖ（０）×Ｗ／Ｖ（Ｔ）    ……（１８）
【００５２】
この（１８）式において、Ｗは累積点灯時間の増加に伴う管電圧の変化を補償しないときの電力であり、光源電力制御回路４は、管電圧Ｖ（Ｔ）の値を第二メモリ１１から読み出し、補償後の電力Ｗ‘がＶ（Ｏ）／Ｖ（Ｔ）×Ｗとなるように例えばランプ電流を制御する。
【００５３】
光源電力制御回路４は、さらに周辺照明光のスクリーンへの照射の影響を防ぐために、実施の形態１で説明したものと同様の下記（１９）〜（２１）式に従う黒レベル補正を行う。
Ｗｒ＝Ｗ‘＋ｋ×ＢＬｏｆｆｓｅｔ    ……（１９）
Ｗｒ＞Ｗｍａｘとなる場合：  Ｗｒ＝Ｗｍａｘ  ……（２０）
Ｗｒ＜Ｗｍｉｎとなる場合：  Ｗｒ＝Ｗｍｉｎ  ……（２１）
実施の形態７では、光源ランプ５の累積点灯時間の増加に伴う管電圧変化が及ぼす電力変動を補償することができる。
【００５４】
実施の形態８．
図１０は本発明の投射型映像表示装置の実施の形態８の構成を示すブロック図である。同図において、図１の要素と同じあるいは対応する要素には同じ符号を付している。実施の形態８は、測光器１、第一演算処理回路２、第二演算処理回路３に代えて、試験映像信号発生回路１３、調整器１４を備える点で実施の形態１と異なる。
【００５５】
実施の形態８では、試験映像信号発生回路１３により、例えば図１１に示すような無彩色で明るさが段階的に変化する試験映像をスクリーンに投射させて、使用者が黒つぶれや黒浮きが生じないように投射映像を見ながら、リモコンあるいは本体上のボタン等の調整器１４で制御値Ｗｕｓｅｒの値を調整する。
【００５６】
光源電力制御回路４は、下記（２２）〜（２４）式に従い、ランプ電力Ｗに制御値Ｗｕｓｅｒを加えたＷｒを光源ランプ５の電力とするように制御する。
Ｗｒ＝Ｗ＋Ｗｕｓｅｒ    ……（２２）
Ｗｒ＞Ｗｍａｘとなる場合：  Ｗｒ＝Ｗｍａｘ  ……（２３）
Ｗｒ＜Ｗｍｉｎとなる場合：  Ｗｒ＝Ｗｍｉｎ  ……（２４）
実施の形態８では、他の実施の形態に比較し、装置の回路規模を縮小することができる。
【００５７】
【発明の効果】
本発明は、以上説明したように構成されているので、以下に示すような効果を奏する。
【００５８】
請求項１の発明によれば、周辺照明光の照度に適応して、投射映像の黒レベル、ダイナミックレンジ及び色再現性の改善を行うことが可能となる効果がある。
【００５９】
請求項２の発明によれば、測距回路から得られる投射型映像表示装置本体からスクリーンまでの距離と、ズームレンズの被制御位置から一義的に定まるズーム比とからスクリーン設置位置における投射映像の面積を自動的に算出できるため、その面積に反比例する投射映像の照度を自動的に算出することが可能となる効果がある。
【００６０】
請求項３の発明によれば、周辺照明光の光量の変動が多い場合に生ずる光源ランプ電力の過変動を抑えることができ、投射映像のフリッカの抑制や光源ランプに与えるストレスを低減させることが可能となる効果がある。
【００６１】
請求項４の発明によれば、周辺照明光の光量の変動が多い場合に生ずる光源ランプ電力の過変動を抑えることができ、投射映像のフリッカの抑制や光源ランプに与えるストレスを低減させることが可能となる効果がある。
【００６２】
請求項５の発明によれば、光源ランプ点灯開始から光源ランプ自体の自己発熱により抵抗値が変化して光源ランプの電力が変動する期間は、測光器から得られる照度に依存せず、光源ランプを一定の電力で点灯させるように光源電力制御回路を動作させることにより、光源ランプに与えるストレスを低減させることが可能となる効果がある。
【００６３】
請求項６の発明によれば、光源電力制御手段による電力制御を行ってもなお周辺光による投射映像近傍の照度が投射映像の黒レベル部分の照度を超える場合には、ブライトネス、コントラスト調整により、黒レベルを上げるので、黒つぶれの防止が可能となる効果がある。
【００６４】
請求項７の発明によれば、光源ランプの累積点灯時間による管電圧変化が及ぼす光源ランプの電力変動を補償することが可能となる効果がある。
【図面の簡単な説明】
【図１】  本発明の投射型液晶表示装置の実施の形態１の構成を示すブロック図である。
【図２】  周辺照明光がスクリーンに照射する明るい環境下において、光源ランプ電力制御により補正された投射映像の照度と入力信号レベル（無彩色）の関係を示す図である。
【図３】  周辺照明光が遮断された暗室又は周辺照明光によるスクリーン上の照度が低い室内における、光源ランプ電力制御により補正された投射映像の照度と入力信号レベル（無彩色）の関係を示す図である。
【図４】  本発明の投射型液晶表示装置の実施の形態２の構成を示すブロック図である。
【図５】  本発明の投射型液晶表示装置の実施の形態３の構成を示すブロック図である。
【図６】  本発明の投射型液晶表示装置の実施の形態４の構成を示すブロック図である。
【図７】  本発明の投射型液晶表示装置の実施の形態６の構成を示すブロック図である。
【図８】  スクリーンに照射する周辺照明光の照度が明るく、光源ランプ電力制御だけでは黒レベルの補正ができない場合に、映像信号にブライトネス、コントラスト調整を追加して補正した投射映像の照度と入力信号レベル（無彩色）の関係を示す図である。
【図９】  本発明の投射型液晶表示装置の実施の形態７の構成を示すブロック図である。
【図１０】  本発明の投射型液晶表示装置の実施の形態８の構成を示すブロック図である。
【図１１】  試験映像信号発生回路からの試験映像信号による試験映像の例を示す図である。
【図１２】  周辺照明光が遮断された暗室における投射映像の照度と入力信号レベル（無彩色）の関係を示す図である。
【図１３】  周辺照明光がスクリーンに照射する明るい環境下における投射映像の照度と入力信号レベル（無彩色）の関係を示す図である。
【図１４】  周辺照明光が遮断された暗室又は周辺照明光のスクリーン上の照度が低い室内における、投射映像の照度と入力信号レベル（無彩色）の関係を示す図である。
【図１５】  周辺照明光が遮断された暗室における投射映像の色再現範囲を示す図である。
【図１６】  周辺照明光がスクリーンに照射する明るい環境下における投射映像の色再現範囲の縮小を示す図である。
【図１７】  国際照明委員会ＣＩＥが１９７６年に勧告した心理計測明度Ｌ*を示すグラフである。
【符号の説明】
１  測光器、  ２  第一演算処理回路、  ３  第二演算処理回路、  ４  光源電力制御回路、  ５  光源ランプ、  ６  測距回路、  ７  第一計時カウンタ、８  第一メモリ、  ９  第三演算処理回路、  １０  第四演算処理回路、  １１  第二メモリ、  １２  第二計時カウンタ、  １３  試験映像信号発生回路、１４  調整器。
【図１】
0004588230.tif 000002
【図２】
0004588230.tif 000003
【図３】
0004588230.tif 000004
【図４】
0004588230.tif 000005
【図５】
0004588230.tif 000006
【図６】
0004588230.tif 000007
【図７】
0004588230.tif 000008
【図８】
0004588230.tif 000009
【図９】
0004588230.tif 000010
【図１０】
0004588230.tif 000011
【図１１】
0004588230.tif 000012
【図１２】
0004588230.tif 000013
【図１３】
0004588230.tif 000014
【図１４】
0004588230.tif 000015
【図１５】
0004588230.tif 000016
【図１６】
0004588230.tif 000017
【図１７】
0004588230.tif 000018